(57)【要約】【課題】  光源カバーをピボットすることが可能な、映像スキャナを提供する。【解決手段】  前記光源カバーは映像スキャナにおいてピボットし、かつ使用しない際には映像スキャナの上端にある自動フィーダー装置（自動紙送り器）内に収納する。ユーザーが透明の書類をスキャナする際には、光源カバーをピボットすることによって、スキャナする透明な書類上を覆う。【選択図】図２
2007195133.tif 000002
【特許請求の範囲】
【請求項１】
スキャンするものを置くガラスのプレートであって、
本ケースと、
前記本ケースにピボットし、表面に凹部を備える前記ガラスのプレートを覆う自動フィーダーと、
前記本ケースにピボットし、かつ光源を備え、前記凹部を覆うことにより、前記光源を前記凹部内に収納させることが可能な光源カバーとを備えることを特徴とする映像スキャナ。
【請求項２】
さらに、前記本ケース上に設置される線形に配列する２つの凹溝と、
前記光源カバーの側端に設置され、前記２つの凹溝内にそれぞれ接続する２つのピボットと
を含むことを特徴とする請求項１に記載の映像スキャナ。
【請求項３】
前記光源がバック-ライトモジュールであって、透明な文書をスキャンするのに必要な光源を発生させることを特徴とする請求項2に記載する映像スキャナ。
【請求項４】
さらに、前記光源カバーの表面に設置される反射ホワイトボードを含むことを特徴とする請求項2に記載する映像スキャナ。
【発明の詳細な説明】
【技術分野】
【０００１】
本発明は光源カバーを備える映像スキャナに関し、特にスキャナにピボットと、スキャナの上端カバー内に収納できる光源カバーを備える映像スキャナに関する。
【背景技術】
【０００２】
映像スキャナは、文書や写真映像を電子資料に転換する機能をもつため、すでに多くのオフィスや家庭における必需品となっている。
【０００３】
文書や写真をスキャンするというほかに、近年ではスキャナのネガやスライドの需要も高まっている。
【０００４】
一般文書をスキャンするスキャナ、とスキャナのネガやスライドを用いることの最大の違いは、スキャナのネガを使用するスキャナは上部の光源と合わせないと、ネガのスキャンができないことである。
【０００５】
その主な理由は、一般文書は例えば紙など、不透明な材質で作られており、スキャナ本体内やスキャンする文書の下方のスキャナの光源が文書の表面を照らすとき、文書は光線をスキャナ内の感知機に反射させることが可能である。しかし、もしスキャンする物質が透明な材質であれば、機体内部の光源がスキャンするものを照らすとき、光線は機体内部に反射しない。そこで、上部の光源をほかにも設置する必要があり、透明な物件をスキャンするとき、上部の光源が発生させる光線によって直接照らし、スキャンするものを貫いて、機体内の感知器に届かせる。
【０００６】
従来のスキャナが貫通式の物件をスキャンする機能をもつのは、大部分が分離式の光源カバーであって、反射式のスキャンをする際、この分離式の光源カバーは使用する必要はなく、貫通式のスキャンをする際、ユーザーは光源カバーをもともとのスキャナのカバーと付け替えて、光源カバーの光源によってスキャンするように変える必要がある。
【０００７】
しかし、従来の上部の光源カバーはスキャナの付属部品（アクセサリー）であって、スキャナと結合していないので、スキャナ内に収納することができず、もしも光源カバーとスキャナを同じ場所になおしていなければ、光源カバーが見つからないといったことも起こりうる。
【０００８】
上述の問題に鑑みて提示された貫通式スキャナが、例えばアメリカ特許第6417937に開示されている。（以下’937特許とする。）
【０００９】
図１に示されるのは、’937特許の概略図である。’937特許のスキャナ100は自動フィーダー240を備える。その特徴は自動フィーダー240内に透明な物件をスキャンするのに有効な上端光源250が設置されていることである。上端光源は自動フィーダー240内に備え付けられているので、ユーザーが上端光源をなくしてしまうということがない。
【００１０】
しかしながら、’937特許には欠点がある。一般の貫通式スキャナは大部分が固定ネガかスライドネガのプレートカセットを備え、その内いくつかのスキャナは上端光源付近にプレートがある。’937特許については、このプレートカセットは自動フィーダー240上に設置されている。ユーザーがネガをスキャンする際、まず自動フィーダー240を持ち上げて、ネガを自動フィーダー240上のプレートカセット内に入れて、再び自動フィーダー240でガラスのプレート上を覆わなければならない。多くのユーザーにとって、自動フィーダー2の重量は軽いとは言えず、何度も自動フィーダーを持ち上げたり下ろしたりしてネガを入れてスキャンするというのは、負担である。
【００１１】
このほか、自動フィーダーの重量を支えるために、通常比較的大きなピボット部材が自動フィーダーとスキャナ機体を一緒にするには必要であり、このため、自動フィーダーがガラスのプレートを覆うとき、その２つの間の隙間が、自動フィーダーを持ち上げていないときと比べて大きくなる。もしもこの隙間の大きさが映像感知機の奥行きを超えるならば、映像の品質に影響を及ぼす。
【００１２】
そこで、新しい映像スキャナによって以上の問題を解決する必要がある。
【発明の開示】
【発明が解決しようとする課題】
【００１３】
本発明はケースにピボットし、自動フィーダー2内に収納できる光源カバーを備える映像スキャナの提供することを目的とする。
【００１４】
本ケースと、前記本ケースにピボットし、表面に凹部を含む前記ガラスのプレートを覆う、前記自動フィーダーと、
本ケースにピボットし、かつ光源を備え、前記凹部を覆い前記光源を凹部内に収納する光源カバーとを含む。
【００１５】
好ましい実施例において、線形に配列した２つの凹溝は前記本ケース上に設置され、２つのピボットは前記光源カバーの側辺に設置され、前記２つの凹溝内にそれぞれ差し込まれる。
【００１６】
好ましい実施例において、前記光源は光線が届かないモジュールで、透明な文書がスキャンするのに必要な光源を発生させる。
【００１７】
好ましい実施例において、反射ホワイトボードが前記光源カバーの表面に設置されることをさらに含む。
【発明を実施するための最良の形態】
【００１８】
［実施例］
図２に示されるように、本発明の実施の形態に係わるケースにピボットが備え付けられ、かつ自動フィーダー内に光源カバーが収納できる映像スキャナを示す好ましい実施例の爆炸圖である。
【００１９】
本発明の映像スキャナ200は本ケース201、自動フィーダー202、ガラスのプレート203、光源カバー204、反射ホワイトボード206を含む。自動フィーダー202が覆うガラスのプレート203の表面には凹部2021を備える。光源カバー204は光源2041を備える。
【００２０】
自動フィーダー202は２つのピボット部材2022を備え、しかし本ケース201は対になった２つのピボット部材2022の２つのジャック（差込穴）2022Aを備え、前記２つのピボット部材2022を受けることによって、自動フィーダー202が本ケース201にピボットされることが可能となる。
【００２１】
このほか、光源カバー204は２つのピボット2042を備え、しかし本ケース201上には対となった２つのピボットの２つのジャック2042Aを備えることによって、２つのピボット2042をその中に差し込み、光源カバー204を本ケース201と向かい合って回すことができる。
【００２２】
図２は、透明なプレートカセット205Aと205Bである。その中のプレートカセット205Aはスキャナのネガを固定していて、一方プレートカセット205Bはスキャナのスライドを固定している。ユーザーはスキャンしたい透明なプレートカセットの種類によって、その中の一つのプレートカセットを選択して使用する。
【００２３】
図３は、本発明のスキャナの組み合わせ概略図である。透明なプレートカセットをスキャンしないとき、プレートカセット205Aと205Bは光源カバー204上に置かれ、続いて再び光源カバー204をフィーダー202に向かって回し、フィーダー204は凹部2021を備えるので、光源カバー204の光源2041とプレートカセットをその中に収納することができる。
【００２４】
図４は、本発明のスキャナを使用する際の透明なプレートカセットの概略図である。透明なプレートカセットをスキャンするとき、例えばネガをスキャンするとき、ユーザーはまずネガをプレートカセット205A内に入れた後、さらにプレートカセット205Aをガラスのプレート203上に置く。透明なプレートカセットをスキャンするとき、反射ホワイトボード206（図２）を取って、光源2041を使用してスキャンする。続いて、ピボット2042Aを用いて光源カバー204と自動フィーダーを分離させ、光源カバー204でガラスのプレート203上を覆い、そのままスキャンできる。
【００２５】
このように、本発明のスキャナの光源カバーはスキャナの本ケースにピボットしており、かつ自動フィーダー内に収納できるので、透明なプレートカセットをスキャンしないとき、光源カバーは自動フィーダー内に収納でき、カバーをなくしてしまう心配がない。このほか、光源カバーと自動フィーダーは分離することができるので、透明なプレートカセットをスキャンするとき、光源カバーを操作する必要があまりなく、しかし自動フィーダーは従来一般に必要な重量を必要としない。このほか、光源カバーの重量は比較的軽く、そこで自動フィーダーのピボット部材に比べて小さいピボットを使用でき、言い換えれば、光源カバーがガラスのプレートを覆うとき、光源カバーとガラスのプレートの間の隙間は自動フィーダーとガラスのプレートの間の隙間に比べて小さく、映像感知器の奥行きの規格が合わないといった問題が生じにくい。
【図面の簡単な説明】
【００２６】
【図１】従来の自動フィーダー器の上部に光源を備える映像スキャナを示す概略図である。
【図２】本発明の実施の形態に係わる好ましい実施例を示す分解図である。
【図３】本発明の実施の形態に係わる光源カバーが収納されることを示す概略図である。
【図４】本発明の実施の形態に係わるスキャナ底面の状態を示す概略図である。
【符号の説明】
【００２７】
100    ’937  特許スキャナ
200    映像スキャナ
201    自動フィーダー
2021  凹部
2022  ピボット部材
2022A  ジャック（差込穴）
202    ガラスのプレート
203    光源カバー
2041  光源
2042  ピボット
2042A  ジャック（差込穴）
2052A  プレートカセット
2052Bプレートカセット
206    反射ホワイトボード
240    自動フィーダー装置
250    上端光源
【図１】
2007195133.tif 000003
【図２】
2007195133.tif 000004
【図３】
2007195133.tif 000005
【図４】
2007195133.tif 000006